(57)【要約】【課題】    失禁用パッドや生理用ナプキンなどを併用した場合でもズレが少ないのでショーツの外に漏れることがないショーツを提供すること。【解決手段】  前身頃２、後身頃３及び股下部４を有し、前身頃２及び後身頃３が伸縮性不織布２１，３１から構成されているウエスト開口部６及び一対のレッグ開口部７を有するショーツ１であり、後身頃３を構成する伸縮性不織布３１は、ショーツ幅方向中央部に位置する部分を除いて、実質的にショーツの幅方向のみに伸縮し且つ同方向に１００％伸張した時の伸張力が１Ｎ〜４Ｎであり、後身頃３におけるショーツ幅方向中央部に位置する部分には、後身頃２と股下部３との境界部付近からウエスト開口部６に向かって延びるようにヒップ弾性部材９が取り付けられて、ショーツ縦方向に伸縮性が付与されている。【選択図】    図１
2006144164.tif 000002
【特許請求の範囲】
【請求項１】
前身頃、後身頃及びこれら両者間に位置する股下部を有し、前記前身頃及び前記後身頃はそれぞれ伸縮性不織布から構成されているウエスト開口部及び一対のレッグ開口部を有するショーツであって、
前記後身頃を構成する伸縮性不織布は、ショーツ幅方向中央部に位置する部分を除いて、実質的にショーツの幅方向のみに伸縮し且つ同方向に１００％伸張した時の伸張力が１Ｎ〜４Ｎであり、
前記後身頃におけるショーツ幅方向中央部に位置する部分には、後身頃と股下部との境界部付近からウエスト開口部に向かって延びるようにヒップ弾性部材が取り付けられて、ショーツ縦方向に伸縮性が付与されているショーツ。
【請求項２】
前記前身頃及び前記後身頃を構成する伸縮性不織布は、それぞれ、不織繊維層が伸縮性繊維を含む編糸によって縫合されてなる請求項１記載のショーツ。
【請求項３】
前記ヒップ弾性部材は、少なくとも１００ｍｍの長さに亘って取り付けられている請求項１又は２記載のショーツ。
【請求項４】
前記後身頃におけるショーツ幅方向中央部に位置する部分は、ショーツ縦方向の伸長率が１０〜４０％である請求項１〜３の何れか記載のショーツ。
【請求項５】
前記前身頃に取り付けられてレッグ開口部の開口縁部の一部に弾性伸縮性を付与している前身頃側レッグ弾性部材と、前記後身頃に取り付けられてレッグ開口部の開口縁部の他の一部に弾性伸縮性を付与している後身頃側レッグ弾性部材とを有し、
前身頃側レッグ弾性部材をレッグ開口部の周方向に伸張させた時の伸張力が、後身頃側レッグ弾性部材をレッグ開口部の周方向に伸張させた時の伸張力よりも小さく、
股下部の両側縁部にはレッグ弾性部材が取り付けられていない請求項１〜４の何れか記載のショーツ。
【請求項６】
前身頃側レッグ弾性部材及び後身頃側レッグ弾性部材は、それぞれ、断面がループ形状を形成する弾性シートから構成されている請求項５記載の記載のショーツ。
【発明の詳細な説明】
【技術分野】
【０００１】
本発明は、高齢者が着用しやすく着用感に優れたショーツに関し、特に失禁用パッドや生理用ナプキンなどを併用するショーツに関する。
【背景技術】
【０００２】
従来、生理用ナプキンや失禁パッド等の吸収性物品を固定し、該吸収性物品を着用者の身体にフィットさせるために用いられるショーツが知られている。
例えば、特許文献１には、縦横方向に弾性伸縮性を有するツーウェイストレッチの材料により構成され、後身頃幅方向略中央位置に伸縮テープを取付け、前後身頃片が側部より腹側に偏倚した位置で縫合されてなるショーツが記載されている。
【０００３】
【特許文献１】特開２００２−９５６９９号公報
【発明の開示】
【発明が解決しようとする課題】
【０００４】
しかし、このショーツは、縦横方向に弾性伸縮性を有するツーウェイストレッチの材料を用いるもので、縦方向に伸縮する場合、高齢者は腰が曲がっていたり、手が不自由だったりするためショーツを上げたつもりでいても実際は生地だけが伸びて股下部が上がりきれていないという問題がある。さらに、伸縮性テープにより股下部の尿道口及び膣口部から肛門部が対抗する区域において吸収性パッドなどを押圧して、伸縮性ギャザーによりショーツと着用者の密着性を高めてモレ防止効果を高めたもので、いずれも高齢者にとっては着用時に違和感がある。
【０００５】
従って、本発明の目的は、高齢者が着用しやすく、着用ミスの少ないショーツであり、失禁用パッドや生理用ナプキンなどを併用した場合でもズレが少なく、ショーツの外への漏れが生じにくいショーツを提供することにある。
【課題を解決するための手段】
【０００６】
本発明は、１）前身頃、後身頃及びこれら両者間に位置する股下部を有するショーツ本体を具備し、前記前身頃及び前記後身頃はそれぞれ伸縮性不織布から構成されているウエスト開口部及び一対のレッグ開口部を有するショーツであって、前記後身頃を構成する伸縮性不織布は、ショーツ幅方向中央部に位置する部分を除いて、実質的にショーツの幅方向のみに伸縮し且つ同方向に１００％伸張した時の伸張力が１Ｎ〜４Ｎであり、前記後身頃におけるショーツ幅方向中央部に位置する部分には、後身頃と股下部との境界部付近からウエスト開口部に向かって延びるようにヒップ弾性部材が取り付けられて、ショーツ縦方向に伸縮性が付与されているショーツ。２）前記前身頃及び前記後身頃を構成する伸縮性不織布は、それぞれ、不織繊維層が伸縮性繊維を含む編糸によって縫合されてなる請求項１記載のショーツ。３）前記ヒップ弾性部材は、少なくとも１００ｍｍの長さに亘って取り付けられている請求項１又は２記載のショーツ。４）前記後身頃におけるショーツ幅方向中央部に位置する部分は、ショーツ縦方向の伸長率が１０〜４０％である請求項１〜３の何れか記載のショーツ。５）前記前身頃に取り付けられてレッグ開口部の開口縁部の一部に弾性伸縮性を付与している前身頃側レッグ弾性部材と、前記後身頃に取り付けられてレッグ開口部の開口縁部の他の一部に弾性伸縮性を付与している後身頃側レッグ弾性部材とを有し、前身頃側レッグ弾性部材をレッグ開口部の周方向に伸張させた時の伸張力が、後身頃側レッグ弾性部材をレッグ開口部の周方向に伸張させた時の伸張力よりも小さく、股下部の両側縁部にはレッグ弾性部材が取り付けられていない請求項１〜４の何れか記載のショーツ。６）前身頃側レッグ弾性部材及び後身頃側レッグ弾性部材は、それぞれ、断面がループ形状を形成する弾性シートから構成されている請求項５記載のショーツ、に関するもので、上記ショーツを提供することにより前記目的を達成したものである。
【発明の効果】
【０００７】
本発明によれば、後身頃は縦方向には伸縮しないので高齢者が上げ下げしやすく且つ所定箇所に弾性材を設けたためフィット性も損なうことがない。失禁用パッドや生理用ナプキンなどを併用した場合でもズレが少なく排出液が漏れる恐れが少ないショーツを提供することができる。また上記効果により、股間部の違和感となる股下部のギャザーを排除することができ、レッグ開口部の前身頃の伸張力を後身頃のそれより小さくすることでさらに脚周りの動きやすさも向上させることができる。
【発明を実施するための最良の形態】
【０００８】
以下本発明を、その好ましい実施形態に基づき図面を参照しながら説明する。
本発明の一実施形態としてのショーツ１は、図１、図２及び図３に示すように、前身頃２、後身頃３、前身頃２と後身頃３との間に位置する股下部４、及び脚周り部５を有し、脚周り部５は前身頃２とは別体のループ形状を形成する弾性シート５１によって形成されており、前身頃２の両側縁部と後身頃３の両側縁部とが互いに縫合により接合され、脚周り部５は、弾性シート５１が、前身頃及び後身頃のレッグ開口部の周縁部に沿ってループ形状を形成するように折返され、その折返し先端の近傍を縫合（図５中、縫合部を符号５２で示す）され、ウエスト開口部６及び一対のレッグ開口部７，７が形成されている。
【０００９】
後身頃３におけるショーツ幅方向中央部に位置する部分には、後身頃３と股下部４との境界部４５からウエスト開口部６に向かって延びるように、ショーツ縦方向に沿ってヒップ弾性部材９が取り付けられている。これにより、後身頃３のショーツ幅方向中央部に位置する部分には、ショーツ縦方向の伸縮性が付与されている。ヒップ弾性部材９の下端部は、境界部４５に存することが好ましい。
さらに、ショーツ１は、前身頃２の横方向寸法より後身頃３の横方向寸法が大きくなるように形成され、前身頃２がショーツの胴周り側部よりも腹側に偏倚した位置で縫合されるので、前身頃２と後身頃３と股下部４との縫合線がショーツの腹側に位置している。
ここで、後身頃３におけるショーツ幅方向中央部とは、ショーツ幅方向中心線から左右２０ｍｍの範囲、合計４０ｍｍの範囲の部分であって、好ましくは、ショーツ幅方向中心線から左右１０ｍｍの範囲、合計２０ｍｍの範囲の部分のことである。
【００１０】
ヒップ弾性部材９は、後身頃３と股下部４の当接するショーツ幅方向中央位置４５からウエスト開口部６に向かって延びる長さＬ（図２参照）が、１００ｍｍ以上、特に１００〜１３０mmであることが、背側のウエスト部がＵ字状に引っ張られることなくフィット性を上げるという点から好ましい。
【００１１】
また、ヒップ弾性部材９は、その伸張率が１０〜４０％、特に１５〜２５％であることが、背側のウエスト部がＵ字状に引っ張られることなく、フィット性を上げるというの点から好ましい。
【００１２】
本ショーツ１においては、前身頃２、後身頃３、股下部４の各々のパーツを縫合してショーツが構成されており、各々の両端周縁部を縫合してある。
このように前身頃２、後身頃３及び股下部４が各々のパーツから構成される場合、前身頃２とは、ショーツの腹側に位置するパーツ２１からなる部分を意味し、後身頃３とは、背側に位置するパーツ３１からなる部分を意味し、股下部４は、前身頃と後身頃に挟まれたショーツの股下部分に位置するパーツ４１からなる部分を意味する。
尚、ショーツを構成する前身頃、後身頃、股下部が連続する１枚の不織布から構成されている場合には、ショーツに吸収層が設けられているときには、その吸収層を有する部分を股下部、その前後に位置する部分を前身頃２及び後身頃３とし、ショーツに吸収層はないが防漏層が設けられているときには、その防漏層を有する部分を股下部、その前後に位置する部分を前身頃２及び後身頃３とする。
【００１３】
ショーツ１は、不織繊維層が伸縮性繊維を含む編糸によって縫合されてなる伸縮性不織布から構成されている。本実施形態における前身頃２、後身頃３、股下部４及び脚周り部５は、それぞれ、不織繊維層が伸縮性繊維を含む編糸によって縫合されてなる伸縮性不織布２１，３１，４１，５１から構成されている。
【００１４】
不織繊維層が伸縮性繊維を含む編糸によって縫合されてなる伸縮性不織布としては、好ましくは特開２０００−６０９００に記載の「不織繊維層が伸縮性繊維を含む編糸によってステッチ縫合されてなる不織布」を用いることができる。
【００１５】
前記不織繊維層は、構成繊維が絡合したものであり、その構成繊維としては、ポリエステル、ナイロン、ポリプロピレン、ビニロン、キュプラ、アクリル、レーヨン、綿等を用いることができる。その構成繊維は全て同種のものであっても、異種の繊維であってもよく、また、その構成繊維はフィラメント糸及び短繊維の何れであってもよい。
【００１６】
前記伸縮性繊維とは、低粘度ポリマーと高粘度ポリマーとの組合せによる複合紡糸捲縮繊維、異種ポリマーの組合せによる複合紡糸捲縮繊維、バイメタル構造による複合紡糸捲縮繊維などや、捲縮加工によるカサ高加工糸、高伸縮性を有するゴム糸（ラテックス）、ポリウレタン弾性糸等をいう。
前記編糸は、このような伸縮性繊維を含むものであり、該編糸は、伸縮性繊維を裸糸として用いてもよいし、また、他の天然繊維、合成繊維等によって被覆されていてもよい。
【００１７】
伸縮性繊維を含む編糸と他の繊維とを交編することも好ましい。交編糸としては合成繊維フィラメント糸、被覆弾性糸等を好ましく用いることができる。交編糸の不織布全体における含有率は３０％以上６５％以下の範囲が好ましい。本明細書において「％」は特に明記しない限り重量％である。
【００１８】
前記伸縮性不織布の編組織は、複数おさ、例えば、２枚おさ（２バー）又は３枚おさ（３バー）を使用して、伸縮性繊維と交編糸を編成してなるものが好ましい。具体的には、タテ方向に伸びが大きな鎖編、ヨコ方向の伸びが得られる１〜２針振り編、タテ・ヨコ両方向に伸びが得られるサテン編やアトラス編等を採用することができる。
前記ステッチ縫合とは、伸縮性繊維が表糸（フロントバー又はＬ１）として、一方、編糸が裏糸（バックバー又はＬ２）として、不織繊維層を狭持する状態のことをいう。ステッチ縫合には、例えば市販のラッセル経編機を用いることができる。ステッチ縫合前の不織繊維層としては、スパンレース不織布、ニードルパンチ不織布、スパンボンド不織布等を用いることができる。
【００１９】
前記伸縮性不織布は、例えば、構成繊維として単繊維デニールが０．１デニール以上３．５デニール以下の範囲にあるポリエステルフィラメント糸を用い、スパンボンド式で坪量（目付）が１５ｇ／ｍ2以上５０ｇ／ｍ2 以下の範囲にある原不織布を得、該原不織布
を伸縮性繊維を含む編糸と交編糸でステッチ縫合することによって得ることができる。
【００２０】
本実施形態のショーツ１においては、図１に示すように、前身頃２の幅方向両側部それぞれにおける下縁部に、それぞれ、弾性シート５１が二つ折りされた状態で固定されており、該弾性シート５１によって、脚周り部５が形成されている。一対のレッグ開口部７，７の前身頃２側の部分は、弾性シート５１によって形成されており、弾性シート５の伸縮性によって、レッグ開口部の開口周縁部の前身頃２側の部分に、周方向の伸縮性が付与されている。弾性シート５１は、図１及び図５に示すように、レッグ開口部の開口縁端で折り返され、その折り返し部５２を挟んでその両側に位置する一対の相対向する縁部において、前身頃２を構成する伸縮性不織布２１の縁部と縫合されている（図５中、縫合部を符号５３で示す）。また、弾性シート５１は、他の一対の縁部において、股下部４及び後身頃３を形成するシートに縫合等により接合されている。
弾性シート５１は、折り返し部５２と縫合部５３との間における相対向面同士が接合されておらず、断面がループ形状を形成している。
【００２１】
弾性シート５１は、不織繊維層が伸縮性繊維を含む編糸によって縫合されてなる伸縮性不織布から構成されてもよいし、伸縮性が発揮できるような組織で編まれたパイピングに用いる材から構成されてもよい。
また、図２に示すように、後身頃３の幅方向両側部それぞれにおける下縁部にも、弾性シート１３が二つ折りされた状態で固定されており、該弾性シート１３によって、レッグ開口部の開口周縁部の後身頃３側の部分が形成されている。弾性シート１３の伸縮性によって、レッグ開口部の開口周縁部の後身頃３側の部分に、周方向の伸縮性が付与されている。
【００２２】
弾性シート１３は、短冊状をなしており、図２及び図６に示すように、レッグ開口部の開口縁端で折り返され、その折り返し部１３’を挟んでその両側に位置する一対の相対向する縁部において、後身頃３を構成する伸縮性不織布３１と縫合されている（図６中、縫合部を符号１３ａで示す）。弾性シート１３は、パイピングに用いる材によって形成されている。弾性シート１３は、折り返し部１３’と縫合部１３ａとの間の相対向面同士が接合されておらず、断面がループ形状を形成している。
弾性シート１３が形成するループの中には、後身頃３を構成する伸縮性不織布３１が入り込んでおり、該不織布３１の端部は、弾性シート１３の折り返し部１３’に近接している。
【００２３】
パイピングとは、生地の縁に別布をパイプ状に縫い付けることをいう。上述した弾性シート５１及び１３は、何れも、断面がループ形状を形成する弾性シートである。
ここで、断面がループ形状を形成するとは、生地を挟んでパイピング状に縫い付けたもの、生地を挟まずにパイピング状に縫合したものの何れをも含む。
本実施形態のショーツ１においては、前身頃の脚周り部５のレッグ開口周縁は、前身頃生地を挟まずにループ形状を形成するように折り返されて縫合されているので、ループ形状を形成する弾性シート５１のみが伸縮することで優しくフィットする。また後身頃のレッグ開口周縁は、後身頃生地を挟みパイピングに用いる材１３でループ形状を形成するように折り返されて縫合されているので、よれたり、めくれたりせず、皺にもならずにしっかりとフィットする。更に、股下部のレッグ開口周縁では、周方向に弾性部材が取り付けられておらず、伸縮性が付与されていないので、股間部の違和感となる股下部のギャザーを排除することができ、レッグ開口部の前身頃の伸張力を後身頃のそれより小さくすることで、更に脚周りの動きやすさも向上できる。レッグ開口部の前身頃の伸張力を、後身頃のそれより小さくすることで、更に脚周りの動き易さも向上することができる。これらの相乗効果によって、着用中に股下部が臀部の谷間に食い込むことを防止できる。
【００２４】
本実施例では、前身頃のレッグ開口部は、不織繊維層が伸縮性繊維を含む編糸によって縫合されてなる伸縮性不織布５１をレッグ開口方向に沿って高伸縮方向がレッグ開口方向に一致するようにループ状に折り返して脚周り部を形成し伸縮性不織布２１のレッグ開口部周縁に縫合して構成され、後身頃のレッグ開口部は、伸縮性が発揮できるような組織で編まれたパイピングに用いる材１３で伸縮性不織布３１のレッグ開口部周縁を挟んでパイピングに用いる材１３の内側端縁を縫合することによって構成されている。図６中に、この縫合部を符号１３ａで示した。
【００２５】
前記伸縮性が発揮できるような組織で編まれたパイピングに用いる材１３としては、例えば、実開平６−２２３０４号公報に記載の「パワーネット、ベアー天竺、ベアーフライス、ツーウェイトリコット、またはトリコネット」から選ばれた伸縮性編物を用いることができる。
【００２６】
前記パイピングに用いる材１３としては、伸縮性が発現できるような編物の組織に応じて繊維を用いればよく、その繊維としては、ポリアミド系繊維、ポリエステル系繊維、ポリオレフィン系繊維、ポリウレタン系弾性繊維、木綿、その他の合成繊維、天然繊維、半合成繊維等を用いることができる。その繊維は全て同種のものであっても、異種を混合して用いてもよい。
【００２７】
本発明ではショーツ１の股下部に防漏加工及び抗菌加工が施された部材を用いることが好ましい。防漏加工とは尿などの体液は染み出さずに汗や尿などの水蒸気をショーツ１の外部に放出することによりモレと着用中のムレを防止する機能を付与したものである。抗菌加工とは菌の増殖を抑制、減少させる機能を付与したものであり、抗菌加工によって臭いの発生を抑え、消臭効果が期待される。
【００２８】
本実施形態のショーツ１における前身頃２、股下部４及び脚周り部５は、それぞれ一枚の伸縮性不織布２１，４１，５１から構成されており、後身頃３は、２枚の伸縮性不織布３１，３１から構成されている。図３には、各部に使用される伸縮性不織布の伸張方向を白抜き矢印で示した。
そして、股下部４の肌対向面側には吸収層１４が、非肌対向面側、前記伸縮性不織布４１の内側には、撥水性で且つ透湿性の防漏層１１が設けられている。肌対向面及び非肌対向面とは、各部材において、着用者の肌側に向けられる面及びそれとは反対側に向けられる面であり、肌対向面側（又は非肌対向面側）に設けられているという表現には、肌対向面（又は非肌対向面）との間に他の部材が介在していない場合と介在している場合の両者が含まれる。防漏層１１は、股下部４を構成する伸縮性不織布４１の肌対向面側に、液不透過性で且つ透湿性の防漏シート１２を配して形成されている。
【００２９】
防漏シート１２としては、使い捨ておむつ等の裏面シート等として従来用いられている各種公知の透湿性シートを用いることができ、例えば、微多孔性フィルム、ポリウレタンやポリエステルフィルムのような拡散性を利用した無孔性透湿フィルム等が挙げられる。微多孔性フィルムは、疎水性の熱可塑性樹脂と、炭酸カルシウム等からなる微小な無機フィラー又は前記熱可塑性樹脂と相溶性のない有機高分子等とを溶融混練してフィルムを形成し、該フィルムを一軸又は二軸延伸して得られる。
尚、防漏シート１２の透湿度は、ＪＩＳ  Ｚ  ０２０８に従い測定された透湿度の値が１．０ｇ／（１００ｃｍ2・ｈｒ）以上であることが好ましい。
【００３０】
抗菌剤として有機系抗菌剤、無機系抗菌剤、天然系抗菌剤のいずれを用いてもよく、股下部の繊維表面に前記抗菌剤を付着させることができる。繊維表面に抗菌剤を付着させる方法は原綿、糸、織編物、不織布のいずれの段階で行ってもよく、付着方法も浸漬法、練り込み法、後加工など従来公知のいずれの方法を用いてもよい。
【００３１】
本発明では吸収層１４は、股下部４の肌対向面側に、親水性繊維を含有するシートから構成されている。親水性繊維を含有するシートとしては、各種公知の製法による不織布、織物、編物が含まれる。好ましいシートは編物である。シートを構成している親水性繊維は、吸収層１４に吸液性能を付与するものであり、親水性繊維としてはポリエチレン、ポリエステル、ポリプロピレン等の疎水性の合成繊維に活性剤等により親水化処理を施したもの等、各種公知の親水性繊維が用いられるが、使用後に洗濯して再度利用可能なショーツを得る場合における洗濯による吸収性能の低下を防止する観点から、シートは親水性繊維として、レーヨン繊維、コットン繊維、麻等のセルロース系繊維を含有することが好ましい。シートは親水性繊維以外の繊維を含んでいても良く、親水性繊維以外の繊維としては、アクリル繊維、ポリエチレン、ポリエステル、ポリプロピレン等の疎水性合成繊維を挙げることができる。疎水性合成繊維を混在させることは、特に耐洗濯性を向上させることができるので好ましい。疎水性合成繊維を含有させる場合、親水性繊維を含有するシート中の該合成繊維の含有率は０〜５０％、特に０〜２０％であることが好ましい。
【００３２】
本実施形態における伸縮性不織布４１、吸収層１４及び防漏シート１２は、平面視して同形をしており、それぞれの前後端４２，４３及び両側縁４４，４４において縫合により厚み方向に一体化されており、それぞれの前後端４２，４３は、前身頃２及び後身頃３にも縫合されている。即ち、防漏シート１２は、その周縁部に形成された縫合部８においてのみ伸縮性不織布４１、吸収層１４に接合されており、その周縁部（縫合部）の内側においては、該伸縮性不織布４１、吸収層１４と離間可能になされている。このような構成を有するため、股下部４を構成する伸縮性不織布４１の伸縮性が、防漏シート１２によって損なわれることを防止することができる。
【００３３】
また、本実施形態で用いた伸縮性不織布２１，４１，５１は、何れもその面内に伸縮性に富む高伸縮方向と、該高伸縮方向に直交し該高伸縮方向よりも伸縮性に劣る低伸縮方向とを有しており、伸縮性不織布を構成している伸縮性繊維を含む編糸と交編糸の編み組織を変えることによって、前記後身頃の伸縮性不織布３１はショーツ１の幅方向のみに伸縮し、前記伸縮性不織布の１００％伸張した時の伸張力が１Ｎ〜４Ｎになるようにすることができる。前身頃２を構成する伸縮性不織布２１は、何れもその高伸縮方向がショーツ１の幅方向（図２の左右方向）に一致している。伸縮性不織布２１，３１の高伸縮方向がショーツ１の長手方向と一致する場合には着用の際、着用者がショーツ１を履いたつもりでいても生地だけが伸びて実際は上がりきれていないというミス装着が起きるが、伸縮性不織布３１の伸縮方向がショーツ幅方向のみと一致しているとそのようなミスを防止できる。股下部４を構成する伸縮性不織布４１の高伸縮方向がショーツ１の長手方向（図２の上下方向）に一致する場合には、着用中に股下部４が臀部の谷間に食い込み易くなるが、伸縮性不織布４１の高伸縮方向がショーツ１の幅方向に一致しているとそのような不都合を防止できる。脚周り部５を構成する伸縮性不織布５１は、その高伸縮方向がレッグ開口部の開口方向に一致している。
【００３４】
前記後身頃の伸縮性不織布３１がショーツ１の幅方向のみに伸縮とは、１０Ｎ荷重時の伸張率が１０％以下（サンプル幅５０ｍｍ）であるような、縦方向の伸縮は伸縮性はないものとした。
【００３５】
本実施形態で用いた後身頃の伸縮性不織布は、着用性の観点から、ショーツ１の幅方向のみに伸縮し、前記伸縮性不織布を、同方向（ショーツの幅方向）に１００％伸張した時の伸張力が１〜４Ｎであることが好ましく、特に好ましくは２〜３Ｎである。１００％伸張した時の伸張力が４Ｎを越えると、肌への圧力が強くなるためショーツ１をスムーズに上げ下げしにくくなり、１Ｎ未満であると、フィット性が劣るという点で問題がある。
【００３６】
伸縮性不織布の１００％伸張した時の伸張力は、以下のようにして測定することができる。
伸縮性不織布の１００％伸張時の伸張力：伸縮性不織布を長さ１５０ｍｍ、幅５０ｍｍになるように試験片を切りだし、引張試験機（オリエンテック社製、チャック間隔１００ｍｍ、試験速度３００ｍｍ／ｍｉｎ）にて１００％伸張した後、即、試験片を試験速度３００ｍｍ／ｍｉｎで元のチャック間距離まで戻し、即続けて同試験速度で１００％伸張した時の荷重を測定する。
１００％伸張とは以下の計算式を用いて表される。                                  １００％伸張＝｛（２回目伸張時の長さ―初期のチャック間隔）／初期のチャック間隔｝×１００
尚、試験片は、ショーツ後身頃幅方向（図２の左右方向）が試験片の長手方向になるように切り出す。
【００３７】
後身頃におけるショーツ幅方向中央部に位置する部分のショーツ縦方向の伸長率は、以下のようにして測定することができる。
伸張率（％）＝｛（伸張時の長さ―自然長）／自然長｝×１００
【００３８】
本ショーツ１においては、前記弾性シート５１が、前身頃側レッグ弾性部材として、前身頃２に取り付けられてレッグ開口部７の開口縁部の一部に弾性伸縮性を付与しており、また、前記パイピングに用いる材１３が、後身頃側レッグ弾性部材として、後身頃３に取り付けられてレッグ開口部７の開口縁部の他の一部に弾性伸縮性を付与しており、前身頃側レッグ弾性部材をレッグ開口部の周方向に伸張させた時の伸張力が、後身頃側レッグ弾性部材を同様に伸張させた時（レッグ開口部の周方向に伸張させた時）の伸張力よりも小さい。他方、股下部の両側縁部にはレッグ弾性部材が取り付けられていない。
【００３９】
後身頃側レッグ弾性部材５１及び前身頃側レッグ弾性部材１３の伸張力は次のように測定される。
前身頃又は後身頃におけるレッグ弾性部材５１又は１３が配された部分、又は前身頃又は後身頃にレッグ弾性部材５１又は１３が取り付けられて形成された部分から、レッグ開口部の周方向の長さが７０ｍｍで、レッグ開口部の最外側縁からの幅が２０ｍｍの短冊状の試験片を切り出し、この試験片を、引張試験機（オリエンテック社製、チャック間隔５０ｍｍ、試験速度３００ｍｍ／ｍｉｎ）にて長手方向に５０％伸張した時の伸張力を測定する。なお側縁部のみにレッグ弾性部材を配する場合も同様にレッグ開口部の最外側縁から幅２０ｍｍ×長さ７０ｍｍで切りだし測定する。
【００４０】
また、前記伸縮性不織布の坪量は、良好な装着感や、適度なフィット性を得る観点から、７５〜９５ｇ／ｍ2、特に８５〜９０ｇ／ｍ2であることが好ましい。
【００４１】
また、股下部４の曲げ剛性が２．０ｇｆ・ｃｍ2／ｃｍ以下、特に０．８ｇｆ・ｃｍ2／ｃｍ以下であることが好ましい。股下部４の幅Ｗ（図３参照）の最小値は８０〜１１０ｍｍであることが好ましく、該股下部４の幅が最小値を示す部位における前記吸収層１４の幅Ｗ１（図３参照）が８０〜１１０ｍｍであることが好ましい。また、股下部４の長手方向における吸収層１４の長さＬ１は１５０ｍｍ以上であることが好ましい。尚、幅Ｗ、Ｗ１及び長さＬ１は、図３に示す展開且つ自然状態（外力を加えない状態）において測定する。
【００４２】
また、本実施形態のショーツ１は、上述した伸縮性不織布２１，３１，４１，５１から構成されているため、着用者に対するフィット性、モレの防止、パッドの固定性等に優れている。
【００４３】
本発明では、股下クロッチ部分はショーツ長手方向には伸縮しないことが好ましい。そのため、後身頃と股下部の当接するショーツ幅方向中央位置からウエスト開口部に伸びるヒップ弾性部材も股下クロッチ部分には配していない。こうすることで着用中に股下部が臀部谷間にくい込むのを防止できる。またパッドを装着する際つけやすく、外れにくくなる。
【００４４】
また、本実施形態のショーツ１は、透湿性の防漏層１１の存在により、ムレの発生を抑えつつ、失禁尿等が外部に漏れ出ることを防止することができる。また、失禁パッドを股下部内面側に固定して使用することもできる。その場合においても、失禁パッドのズレ等により尿が漏れ出した場合、その尿をショーツ１の吸収層１４に吸収保持させることができ、ショーツ１から漏れだして尿等により着衣を汚すことを防止できる。
【００４５】
尚、本実施形態のショーツ１においては、一対のレッグ開口部６，６の開口周縁部において、前身頃開口周縁部では伸縮性不織布２１，３１，４１と同じ材料の伸縮性不織布５１が取り付けてあり、周方向の伸縮性が付与されている。後身頃開口周縁部では伸縮性不織布２１，３１，４１とは別材のパイピングに用いる材１３が取り付けてあり、周方向の伸縮性が付与されている。股下部開口周縁部では、周方向には弾性材は取り付けておらず、伸縮性は付与されていない。
【００４６】
図３に示すように、伸縮性不織布５１は、縫合によりレッグ開口部の後身頃の開口周縁部における非肌対向面側に固定され、またパイピングに用いる材１３は、ポリウレタン弾性繊維からなる複合弾性部材であり、縫合により後身頃の開口周縁部における非肌対向面側に固定されている。
【００４７】
以上、本発明の好ましい実施形態について説明したが、本発明は、上述した実施形態に制限されない。
例えば、上記の実施形態においては、股下部４を構成する伸縮性不織布４１の肌対向面側に別体の防漏シート１２を配して防漏層１１が形成されていたが、これに代えて、伸縮性不織布４１の肌対向面又は非肌対向面に、溶融樹脂をラミネートして防漏層１１を形成することもできる。また、伸縮性不織布２１，３１，４１，５１は、連続する一枚の不織布であっても良い。また、股下部４を構成する伸縮性不織布４１は、その高伸縮方向をおむつの幅方向に一致させるのに代えて、長手方向に一致させるようにしても良い。この場合には、レッグ開口縁の周方向の伸縮性が向上し、脚周りのサイズ適応範囲が広くなる。
【００４８】
本発明のショーツは、失禁用のショーツの他に、生理用のショーツであっても良く、生理用ショーツは、公知の生理用ナプキン又はライナーを内表面に固定して使用しても良いし、単独で使用しても良い。
【図面の簡単な説明】
【００４９】
【図１】本発明の一実施形態としてのショーツを示す正面図である。
【図２】図１に示すショーツの後身頃からみた正面図である。
【図３】図１に示すショーツの展開状態を非肌対向面側からみた平面図である。
【図４】図１に示すショーツの股下部幅方向の断面図（図３のII− II線断面図）である。
【図５】図１に示すショーツの脚周り部の断面図（図１のIII― III線断面図）である。
【図６】図１に示すショーツの背側部側のレッグ開口縁部の断面図（図２のIV― IV線断面図）である。
【符号の説明】
【００５０】
１  ショーツ
２  前身頃                                                                      ２１伸縮性不織布                                                                ３  後身頃                                                                      ３１伸縮性不織布
４  股下部                                                                      ４１伸縮性不織布                                                                ５  脚周り部                                                                    ５１伸縮性不織布                                                                ６  ウエスト開口部
７  レッグ開口部
５１  伸縮性不織布（弾性シート）
９  ヒップ弾性部材
１１防漏層                                                                      １２防漏シート                                                                  １３パイピングに用いる材                                                        １４吸収層
【図１】
2006144164.tif 000003
【図２】
2006144164.tif 000004
【図３】
2006144164.tif 000005
【図４】
2006144164.tif 000006
【図５】
2006144164.tif 000007
【図６】
2006144164.tif 000008
【手続補正書】
【提出日】平成16年11月19日(2004.11.19)
【手続補正１】
【補正対象書類名】明細書
【補正対象項目名】００４１
【補正方法】変更
【補正の内容】
【００４１】
また、股下部４の曲げ剛性が２．０ｇｆ・ｃｍ2／ｃｍ以下、特に０．８ｇｆ・ｃｍ2／ｃｍ以下であることが好ましい。股下部４の幅の最小値は８０〜１１０ｍｍであることが好ましく、該股下部４の幅が最小値を示す部位における前記吸収層１４の幅Ｗ１（図３参照）が８０〜１１０ｍｍであることが好ましい。また、股下部４の長手方向における吸収層１４の長さは１５０ｍｍ以上であることが好ましい。尚、股下部４の幅、吸収層１４の幅Ｗ１及び吸収層１４の長さは、図３に示す展開且つ自然状態（外力を加えない状態）において測定する。